(57)【要約】
【課題】　ＰＣＭＣＩＡインタフェースのセブンインワンカードリーダーの提供。
【解決手段】　ＰＣＭＣＩＡインタフェーススロットに符合するカートリッジ内に連結回路が設置され、該カートリッジの前端に第１コネクタが設けられてＰＣＭＣＩＡインタフェースを具えた電気装置との接続に供され、カートリッジの後端に第２及び第３コネクタが設けられて、ＣＦ、ＭＤ、ＭＭＣ、ＭＳ（登録商標）、ＳＤ、ＳＭ、ＸＤ（登録商標）の７種類の規格のメモリカードの挿入に供され、並びに連結回路を介して上述の各メモリカードに対するデータ読み取り、交換及び伝送を行ない、ＰＣＭＣＩＡインタフェースを具えた電気装置を少なくとも７種類のメモリカードに対する読み書き可能とする。
【選択図】　　　　図３
0003100182.tif 000002
【実用新案登録請求の範囲】
【請求項１】
　ＰＣＭＣＩＡインタフェーススロットと符合する形態を具え、内部に連結回路が設けられたカートリッジと、
　ＰＣＭＣＩＡインタフェースの規格とされてカートリッジの前側に固定され、並びに連結回路と接続された第１コネクタと、
　カートリッジの後側に設けられて連結回路と接続され、連結回路と接続された側とは別側に５種類のメモリカード規格と符合するメモリカードスロットが設けられ、各メモリカードスロット部分に連結回路と接続された接続端子が設けられた第２コネクタと、
　カートリッジの後側に設けられて連結回路と接続され、連結回路と接続された側とは別側に上記５種類のメモリカード規格とは別の２種類のメモリカード規格に符合するメモリカードスロットが設けられ、各メモリカードスロット部分に連結回路と接続された接続端子が設けられた第３コネクタと、
　を具え、ＰＣＭＣＩＡインタフェースを介して電気装置と連結され、並びに７種類のメモリカード規格のメモリカードが対応挿入、接続され、電気装置とのデータの読み取り、交換伝送を行なえることを特徴とする、ＰＣＭＣＩＡインタフェースのセブンインワンカードリーダー。
【請求項２】
　第２コネクタのそのうちの一つのメモリカードスロットがＭＭＣ及びＳＤの二種類の規格のメモリカードに共用され、このメモリカードスロットの内縁にこれら二種類の規格のメモリカードの幅と厚さに合わせてメモリカード誤挿入を防止する溝部が設けられたことを特徴とする、請求項１記載のＰＣＭＣＩＡインタフェースのセブンインワンカードリーダー。
【請求項３】
　第２コネクタのそのうちの一つのメモリカードスロットがＣＦ及びＭＤの二種類の規格のメモリカードに共用され、このメモリカードスロットの内縁にこれら二種類の規格のメモリカードの幅と厚さに合わせてメモリカード誤挿入を防止する溝部が設けられたことを特徴とする、請求項１記載のＰＣＭＣＩＡインタフェースのセブンインワンカードリーダー。
【請求項４】
　第１コネクタが接続端子で連結回路に接続され、第１コネクタにあって連結回路と接続された側とは別の側がＰＣＭＣＩＡインタフェースと挿入接続を構成するのに用いられる接続部とされ、カートリッジに上下のケースが設けられて連結回路及び第１コネクタの一部主体が被覆され、第１コネクタの接続部がカートリッジの前縁において露出されたことを特徴とする、請求項１記載のＰＣＭＣＩＡインタフェースのセブンインワンカードリーダー。
【請求項５】
　カートリッジの後側に第２コネクタ及び第３コネクタの主体を被覆するケースカバーが設けられたことを特徴とする、請求項１記載のＰＣＭＣＩＡインタフェースのセブンインワンカードリーダー。
【請求項６】
　カートリッジの後側に第２コネクタ及び第３コネクタの主体を被覆するケースカバーが設けられ、該ケースカバーに第２コネクタ、第３コネクタの各メモリカードスロットに対応し接続された指示ランプが設けられて、各メモリカードスロットに挿入されたメモリカードの運転状態を表示することを特徴とする、請求項１記載のＰＣＭＣＩＡインタフェースのセブンインワンカードリーダー。
【考案の詳細な説明】
【技術分野】
【０００１】
　本考案はＰＣＭＣＩＡインタフェースのセブンインワンカードリーダーに係り、特に、ＰＣＭＣＩＡインタフェースによりノートブック型コンピュータ等のＰＣＭＣＩＡインタフェースを具えた電気装置と接続され、並びにＣＦ、ＭＤ、ＭＭＣ、ＭＳ（登録商標）、ＳＤ、ＳＭ、ＸＤ（登録商標）の７種類の規格のメモリカードとデータの読み取り、交換伝送を行なわせる、ＰＣＭＣＩＡインタフェースカードリーダーに関する。
【背景技術】
【０００２】
　一般に、デジタルカメラ、デジタルビデオカメラ、ＰＤＡ等の電気装置は、そのデータの保存量を増すために、多くは専属規格のメモリカードスロットを具えて適時にフラッシュメモリカードを交換して使用できるようにしている。このため、現在市場には、ＣＦカード（ＣｏｍｐａｃｔＦｌａｓｈ　Ｃａｒｄ）、ＭＤカード（Ｍｉｃｒｏ　Ｄｒｉｖｅ
Ｃａｒｄ）、ＭＭＣカード（ＭｕｌｔｉＭｅｄｉａ　Ｃａｒｄ）、ＭＳカード（Ｍｅｍｏｒｙ　Ｓｔｉｃｋ　Ｃａｒｄ）（登録商標）、ＳＤカード（Ｓｅｃｕｒｅ　Ｄｉｇｉｔａｌ　Ｃａｒｄ）等の異なる規格のメモリカードがあり、電気装置がデータ読み取りを行なう時には、電気装置に規格に符合するメモリカードスロットが設けられてメモリカードの挿入に供され、メモリカードと電気回路の接続が形成され、これによりデータの交換と伝送が行なわれる。
【０００３】
　また、一般にノートブック型コンピュータ等の携帯型電気装置は、不断に機能が向上されるほか、軽量化の設計努力が重ねられて携帯、収納に便利な特性に符合することが期されている。ノートブック型コンピュータは、その電気装置自身が周辺装置の入力、出力ポートの設置を必要とするほか、基本的に少なくとも一つのＰＣＭＣＩＡインタフェースを配備して、ＰＣＭＣＩＡインタフェースの周辺装置をノートブック型コンピュータに配設されたＰＣＭＣＩＡインタフェーススロットによりノートブック型コンピュータと接続して使用できるようにしている。
【０００４】
　これにより、市場にはＰＣＭＣＩＡインタフェースに符合するカードリーダーが出現しており、ＰＣＭＣＩＡインタフェースの電気装置とメモリカードの接続使用に供されている。しかし、現在、ＰＣＭＣＩＡインタフェースに符合するカードリーダーの多くは特定規格のメモリカードの挿入使用に供され、ＰＣＭＣＩＡインタフェースを具えた電気装置が市販されているメモリカードと接続使用される時は、メモリカード規格とカードリーダーの規格が符合しないために制限を受けることがある。
【考案の開示】
【考案が解決しようとする課題】
【０００５】
　本考案は一種のＰＣＭＣＩＡインタフェースのセブンインワンカードリーダーを提供することをを目的とし、それは、ＰＣＭＣＩＡインタフェーススロットと符合するカートリッジを主体とし、カートリッジの前端にＰＣＭＣＩＡインタフェースの第１コネクタが設けられ、カートリッジの後端に第２、第３コネクタが接続され、カートリッジの内部に連結回路が設けられて第２、第３コネクタを第１コネクタの回路と連結するのに用いられる。
【０００６】
　そのうち、第２コネクタの連結回路と接続されている側とは別の側にＣＦ、ＭＤ、ＭＭＣ、ＭＳ（登録商標）及びＳＤメモリカード規格と符合するメモリカードスロットが設けられ、第３コネクタの連結回路と接続されている側とは別の側にＳＭ、ＸＤ（登録商標）メモリカード規格に符合するメモリカードスロットが設けられ、これにより、ＰＣＭＣＩＡインタフェースによる電気装置との接続が構成され、並びにＣＦ、ＭＤ、ＭＭＣ、ＭＳ（登録商標）、ＳＤ、ＳＭ、ＸＤ（登録商標）の７種類の規格のメモリカードとデータ読み取り、交換伝送を行なう。
【課題を解決するための手段】
【０００７】
　請求項１の考案は、ＰＣＭＣＩＡインタフェーススロットと符合する形態を具え、内部に連結回路が設けられたカートリッジと、
　ＰＣＭＣＩＡインタフェースの規格とされてカートリッジの前側に固定され、並びに連結回路と接続された第１コネクタと、
　カートリッジの後側に設けられて連結回路と接続され、連結回路と接続された側とは別側に５種類のメモリカード規格と符合するメモリカードスロットが設けられ、各メモリカードスロット部分に連結回路と接続された接続端子が設けられた第２コネクタと、
　カートリッジの後側に設けられて連結回路と接続され、連結回路と接続された側とは別側に上記５種類のメモリカード規格とは別の２種類のメモリカード規格に符合するメモリカードスロットが設けられ、各メモリカードスロット部分に連結回路と接続された接続端子が設けられた第３コネクタと、
　を具え、ＰＣＭＣＩＡインタフェースを介して電気装置と連結され、並びに７種類のメモリカード規格のメモリカードが対応挿入、接続され、電気装置とのデータの読み取り、交換伝送を行なえることを特徴とする、ＰＣＭＣＩＡインタフェースのセブンインワンカードリーダーとしている。
　請求項２の考案は、第２コネクタのそのうちの一つのメモリカードスロットがＭＭＣ及びＳＤの二種類の規格のメモリカードに共用され、このメモリカードスロットの内縁にこれら二種類の規格のメモリカードの幅と厚さに合わせてメモリカード誤挿入を防止する溝部が設けられたことを特徴とする、請求項１記載のＰＣＭＣＩＡインタフェースのセブンインワンカードリーダーとしている。
　請求項３の考案は、第２コネクタのそのうちの一つのメモリカードスロットがＣＦ及びＭＤの二種類の規格のメモリカードに共用され、このメモリカードスロットの内縁にこれら二種類の規格のメモリカードの幅と厚さに合わせてメモリカード誤挿入を防止する溝部が設けられたことを特徴とする、請求項１記載のＰＣＭＣＩＡインタフェースのセブンインワンカードリーダーとしている。
　請求項４の考案は、第１コネクタが接続端子で連結回路に接続され、第１コネクタにあって連結回路と接続された側とは別の側がＰＣＭＣＩＡインタフェースと挿入接続を構成するのに用いられる接続部とされ、カートリッジに上下のケースが設けられて連結回路及び第１コネクタの一部主体が被覆され、第１コネクタの接続部がカートリッジの前縁において露出されたことを特徴とする、請求項１記載のＰＣＭＣＩＡインタフェースのセブンインワンカードリーダーとしている。
　請求項５の考案は、カートリッジの後側に第２コネクタ及び第３コネクタの主体を被覆するケースカバーが設けられたことを特徴とする、請求項１記載のＰＣＭＣＩＡインタフェースのセブンインワンカードリーダーとしている。
　請求項６の考案は、カートリッジの後側に第２コネクタ及び第３コネクタの主体を被覆するケースカバーが設けられ、該ケースカバーに第２コネクタ、第３コネクタの各メモリカードスロットに対応し接続された指示ランプが設けられて、各メモリカードスロットに挿入されたメモリカードの運転状態を表示することを特徴とする、請求項１記載のＰＣＭＣＩＡインタフェースのセブンインワンカードリーダーとしている。
【考案の効果】
【０００８】
　本考案はＰＣＭＣＩＡインタフェースのセブンインワンカードリーダーを提供し、それは、ＰＣＭＣＩＡインタフェースによりノートブック型コンピュータ等のＰＣＭＣＩＡインタフェースを具えた電気装置と接続され、並びにＣＦ、ＭＤ、ＭＭＣ、ＭＳ（登録商標）、ＳＤ、ＳＭ、ＸＤ（登録商標）の７種類の規格のメモリカードとデータの読み取り、交換伝送を行なわせる、ＰＣＭＣＩＡインタフェースカードリーダーである。
【考案を実施するための最良の形態】
【０００９】
　本考案のＰＣＭＣＩＡインタフェースのセブンインワンカードリーダーは、その全体のカードリーダーの構造組成が図１及び図２に示されるようであり、それは、ＰＣＭＣＩＡインタフェーススロットと符合するカートリッジ１０を主体とし、カートリッジ１０の前端にＰＣＭＣＩＡインタフェースの第１コネクタ２１が設けられ、カートリッジ１０の後端に第２コネクタ２２、第３コネクタ２３が設けられ、カートリッジ１０の内部に連結回路３０が設けられ、連結回路３０が第２コネクタ２２、第３コネクタ２３と第１コネクタ２１の電気回路の連結を形成する。
【００１０】
　そのうち、第１コネクタ２１はカートリッジ１０の前縁に固定され、並びに接続端子２５で連結回路３０と接続され、第１コネクタ２１にあって連結回路３０と接続された側とは別の側がＰＣＭＣＩＡインタフェースと挿嵌接続を形成する接続部２１１とされ、且つカートリッジ１０に別に上下のケース１１、１２が設けられ、連結回路３０及び第１コネクタ２１の一部主体を被覆し、第１コネクタ２１の接続部２１１がカートリッジ１０の前縁より露出されている。
【００１１】
　図２及び図３も参照されたい。そのうち、第２コネクタ２２にあって、連結回路３０と接続された側とは別の側にＣＦ、ＭＤ、ＭＭＣ、ＭＳ（登録商標）、ＳＤメモリカード規格に符合するメモリカードスロット２４が設けられ、第３コネクタ２３にあって連結回路３０と接続された側とは別の側にＳＭ、ＸＤ（登録商標）のメモリカード規格に符合するメモリカードスロット２４が設けられ、並びに第２コネクタ２２、第３コネクタ２３の各メモリカードスロット２４部分に連結回路３０に接続された接続端子２５が設けられている。
【００１２】
　図３に示される実施例中、第２コネクタ２２のうち一つのメモリカードスロット２４はＳＤメモリカード４３及びＭＭＣメモリカード（図示せず）の共用とされ、該メモリカードスロット２４の内縁にはＭＭＣメモリカード及びＳＤメモリカード４３の幅、厚さに合わせてメモリカードの誤挿入を防止する溝部２４１が設けられている。同様に、第２コネクタ２２のそのうちの一つのメモリカードスロット２４はＣＦメモリカード４１、及びＭＤメモリカード（図示せず）の共用とされ、該メモリカードスロット２４の内縁にはＣＦメモリカード４１、及びＭＤメモリカードの幅、厚さに合わせてメモリカードの誤挿入を防止する溝部２４１が設けられている。
【００１３】
　このほか、カートリッジ１０の後側にはケースカバー１３が設けられて、第２コネクタ２２、第３コネクタ２３の主体を被覆し、ケースカバー１３に別に第２コネクタ２２、第３コネクタ２３のメモリカードスロット２４に対応し接続された指示ランプ１４が設けられ、指示ランプ１４が各メモリカードスロット２４中のメモリカードの運転状態を表示する。
【００１４】
　全体のカードリーダーを使用する時、カートリッジ１０が電気装置５０のＰＣＭＣＩＡインタフェーススロット５１に挿入され、第１コネクタ２１のＰＣＭＣＩＡインタフェースにより電気装置５０と接続され、並びに第２コネクタ２２、第３コネクタ２３がＣＦメモリカード４１、ＭＤメモリカード（ＣＦメモリカードと同一のメモリカードスロットを共用するため僅かにＣＦメモリカードを以て挿入接続状態を表示している）、ＭＳメモリカード４２、ＳＤメモリカード４３、ＭＭＣメモリカード（これはＳＤメモリカードと同一メモリカードスロットを共用するため僅かにＳＤメモリカードを以て挿入接続状態を表示している）、ＳＭメモリカード４４、ＸＤ（登録商標）メモリカード４５等の７種類の規格のメモリカードの対応挿入、接続に供され、これにより電気装置５０とのデータ読み取り、交換伝送を行なうことができ、大幅にＰＣＭＣＩＡインタフェースを具えた電気装置と市販のメモリカードの接続使用の便利性と適用性を増している。
【００１５】
　特に、全体のカードリーダーの第２コネクタ２２、第３コネクタ２３はそれぞれ接続端子により電気装置の電子回路に接続されるメモリカードスロットを具え、ゆえに第２コネクタの三つのメモリカードスロットに第３コネクタのメモリカードスロットが加わり、四つの独立運転するコネクタとされ、電気装置より延伸された四つのカートリッジ式データ保存ハードウエアに、電子回路のＩＣ制御された各メモリカードスロットの回路運転が組み合わされ、これにより電気装置が同時に各メモリカードスロットに挿入されたメモリカードに対してデータ交換、読み書き、或いは各メモリカードスロットに挿入されたメモリカード間のデータ交換及び保存を行なうことができる。
【００１６】
　以上の実施例及び図面は本考案の実施範囲を限定するものではなく、本考案に基づきなしうる細部の修飾或いは改変は、いずれも本考案の請求範囲に属するものとする。
【図面の簡単な説明】
【００１７】
【図１】本考案のカードリーダーの外観構造斜視図である。
【図２】本考案のカードリーダーの構造分解図である。
【図３】本考案中、カードリーダーとノートブック型コンピュータの電気装置及びメモリカードの間の接続状態表示図である。
【符号の説明】
【００１８】
１０　カートリッジ　　　　　　２４１　溝部
１１　上ケース　　　　　　　　２５　接続端子
１２　下ケース　　　　　　　　３０　連結回路
１３　ケースカバー　　　　　　４１　ＣＦメモリカード
１４　指示ランプ　　　　　　　４２　ＭＳ（登録商標）メモリカード
２１　第１コネクタ　　　　　　４３　ＳＤメモリカード
２１１　接続部　　　　　　　　４４　ＳＭメモリカード
２２　第２コネクタ　　　　　　４５　ＸＤ（登録商標）メモリカード
２３　第３コネクタ　　　　　　５０　電気装置
２４　メモリカードスロット　　５１　ＰＣＭＣＩＡインタフェーススロット
【図１】
0003100182.tif 000003
【図２】
0003100182.tif 000004
【図３】
0003100182.tif 000005